(57)【要約】情報を整理及び追跡する方法であって、人物の名前、電話番号、要行動日、優先順位、及び仕事番号などの情報を追跡するための方法。個人は、この方法を、情報を追跡し、情報を容易かつ迅速に保存し、抽出し、並べ替えるために使用することができる（図１）。好ましい実施の形態において、情報を整理及び追跡するためのこの方法は、要行動日、優先順位、及び仕事番号に基づいて情報を並べ替えることができ、個人が、自身の所望する基準に従って並べ替えられた情報に基づいて、重要な決定を能率的に行うことができるようにする。
2005532639.tif 000002
【特許請求の範囲】
【請求項１】
要実施事項などの情報を整理及び追跡するための方法であって、
人物または企業の名称、電話番号、要行動日、優先順位、及び仕事番号などの情報をデータベースの適当なフィールドに入力する工程、
現在の日付に基づいてデータベースを照会する工程、
現在の日付よりも早い要行動日を有するレコードを抽出する工程、
抽出されたレコードを、要行動日、優先順位、及び仕事番号に基づき、要行動日、優先順位、及び仕事番号の順序で並べ替える工程、及び
並べ替えたレコードを閲覧のために提示する工程
を有し、
個人が、提示された情報に基づいて重大な決定を能率的に行うことができる方法。
【請求項２】
前記抽出されたレコードが、優先順位、要行動日、及び仕事番号に基づき、優先順位、要行動日、及び仕事番号の順序で並べ替えられる請求項１に記載の要実施事項などの情報を整理及び追跡するための方法。
【請求項３】
要実施事項などの情報を整理及び追跡するための方法であって、
人物または企業の名称、電話番号、要行動日、優先順位、及び仕事番号などの情報をデータベースの適当なフィールドに入力する工程、
所望のフィールドに基づいてデータベースを照会する工程、
照会条件に合致するフィールドを有するレコードを抽出する工程、
抽出されたレコードを、要行動日、優先順位、及び仕事番号に基づき、要行動日、優先順位、及び仕事番号の順序で並べ替える工程、及び
並べ替えたレコードを閲覧のために提示する工程
を有し、
個人が、提示された情報に基づいて重大な決定を能率的に行うことができる方法。
【請求項４】
前記抽出されたレコードが、優先順位、要行動日、及び仕事番号に基づき、優先順位、要行動日、及び仕事番号の順序で並べ替えられる請求項３に記載の要実施事項などの情報を整理及び追跡するための方法。
【請求項５】
要実施事項などの情報を整理及び追跡するための方法であって、
人物または企業の名称、電話番号、要行動日、優先順位、及び仕事番号などの情報をデータベースの適当なフィールドに入力する工程、
所望の２つの日付間の要行動日を有するレコードを求めてデータベースを照会する工程、
前記照会条件に合致する要行動日フィールドを有するレコードを抽出する工程、
抽出されたレコードを、要行動日、優先順位、及び仕事番号に基づき、要行動日、優先順位、及び仕事番号の順序で並べ替える工程、及び
並べ替えたレコードを閲覧のために提示する工程
を有し、
個人が、提示された情報に基づいて重大な決定を能率的に行うことができる方法。
【請求項６】
前記抽出されたレコードが、優先順位、要行動日、及び仕事番号に基づき、優先順位、要行動日、及び仕事番号の順序で並べ替えられる請求項５に記載の要実施事項などの情報を整理及び追跡するための方法。
【発明の詳細な説明】
【技術分野】
【０００１】
本発明は、広くは、要実施事項などの情報を整理及び追跡するための方法に関する。さらに詳しくは、本発明は、要実施事項を、要行動日及び優先順位に従って整理するための方法に関する。
【背景技術】
【０００２】
現代社会においては、すべての人々は、要実施事項の長いリストを追跡し続けなければならない。これら要実施事項には、実行しなければならない職務、かけなければならない電話、及び事後処理のために接触をとらなければならない顧客や依頼人などの情報が含まれるであろう。これらの情報は、速やかかつ容易に整理されなければならず、有用であるよう、所望のかたちで容易に抽出及び並べ替えができなくてはならない。
【０００３】
現在のところ、これらの情報を並べ替えられたかたちで保存及び抽出するための便利な方法は存在しない。最も広く用いられている方法は、情報の保存、抽出、及び並べ替えのために表計算ソフトまたはデータベース・ソフトを利用する方法である。しかしながら、汎用の多用途な表計算ソフトまたはデータベース・ソフトは、これらの機能を適切に実行できるかもしれないが、本発明の提供する水準の容易性及び有用性は到底提供できていない。表計算ソフトやデータベース・ソフトは複雑であって、ユーザが自身の望む形式で情報を抽出すべく上手にソフトウェアを使用できるようになるまでに、急勾配の習熟曲線を必要とする。
【発明の開示】
【発明が解決しようとする課題】
【０００４】
本発明は、人物または企業の名称、電話番号、要行動日、優先順位、及び仕事番号などの情報を追跡するための方法である。個人が、容易かつ迅速に情報を保存し、追跡し、抽出し、並べ替えるために、本発明を利用することができる。
【０００５】
好ましい実施の形態においては、情報を整理及び追跡するためのこの方法が、要行動日、優先順位、及び仕事番号に基づいて情報を並べ替え、個人が自身の所望する基準に従って並べ替えられた情報に基づいて、重要な決定を行うことができるようにする。
【発明を実施するための最良の形態】
【０００６】
情報を整理及び追跡するための方法について、好ましい実施の形態が図１に示されており、人物または企業の名称、電話番号、要行動日、優先順位、及び仕事番号などの情報をデータベースの適当なフィールドに入力する工程、データベースを照会する工程、照会条件に合致するレコードを抽出する工程、抽出されたレコードを要行動日、優先順位、及び仕事番号に基づいて並べ替える工程、ならびに、並べ替えたレコードを閲覧のために提示する工程を有している。この方法によって、個人は、提示された情報に基づいて重大な決定を能率的に行うことができる。
【０００７】
人物または企業の名称、電話番号、要行動日、及び優先順位といった情報が集められ、これらの情報に連続的な仕事番号が割り当てられる。これらの情報は、データベースのレコードの適切なフィールドに入力される。データベースのレコードは、任意のフィールドを指標として用いて並べ替えることができる。レコードをさらに整理して並べ替えるため、１つのフィールドを第１の指標として用い、他のフィールドを第２の指標として用いてデータベースを並べ替えてもよい。好ましい実施の形態においては、要行動日フィールドが第１の指標として使用され、優先順位フィールドが第２の指標として使用される。データベースにおいてキー違反を生じかねない重複キーを避けるため、仕事番号フィールドが第３の指標として使用される。仕事番号は、レコードに恒久的に割り当てられ、或るレコードが削除されても、残りのレコードの仕事番号フィールドの番号は付け直されない。新しいレコードが追加されるとき、その新しいレコードには、空いている次の仕事番号が割り当てられる。
【０００８】
ユーザは、自身が必要とする情報を入手するため、データベースを照会することができる。照会方法の１つとして、照会日または所望する特定の日付よりも前の要行動日を有するレコードを見つけ出すことができる。この照会により、ユーザは、迅速な行動が必要である期限を過ぎた要行動日を見つけることができる。ユーザは、レコード中の或る任意のフィールドの特定の情報についてデータベースを照会することもできる。ユーザが実行できる他の有用な照会は、要行動日が或る２つの特定の日付の間にあるレコードを見つけることである。この照会によって、ユーザは、自身のスケジュール及び或る特定の期間内にとらなければならない必要な行動を計画することができる。
【０００９】
合致するレコードがデータベース中に見出されたのち、それらレコードが抽出され、ユーザの要求に従って並べ替えられる。本発明の好ましい実施の形態においては、最終的に並べ替えられたレコードが、閲覧のためテレビ画面上でユーザに提示される。次いで、ユーザは、提示された情報に基づいて重要な決定を能率的に行うことができる。
【００１０】
以上の説明は多くの明細を含んでいるが、これらは本発明の技術的範囲を限定するものとして解釈されるべきではなく、単に本発明の現時点での好ましい実施の形態のいくつかを例示するものと解釈すべきである。したがって、本発明の技術的範囲は、前記した例によってではなく、添付の特許請求の範囲及びそれらの法律上の均等物によって定められるべきである。
【図面の簡単な説明】
【００１１】
【図１】要実施事項などの情報を整理及び追跡するための方法を示したフローチャートである。
【図１】
2005532639.tif 000003
【国際調査報告】
2005532639.tif 000004